(57)【要約】      （修正有）【課題】端末装置の行う通信に沿った品質保証を提供することができ、帯域を保障する必要がないと考えられる通信を行っている端末装置に対して、不必要な帯域確保を行わない中継装置を提供する。【解決手段】中継装置は、各端末装置とネットワークとの間の信号の中継を行うものであり、各端末装置が、回線設定のためにネットワーク上にある制御装置と行う制御通信を監視するセッション監視手段を備えており、セッション監視手段は、監視した制御通信の内容に基づき各端末装置が行う通信に対する帯域制御及び優先度制御ポリシーを決定する。【選択図】図１
2010050871.tif 000002
【特許請求の範囲】
【請求項１】
１つ以上の端末装置とネットワークとの間の信号の中継を行う中継装置であって、
端末装置とネットワーク上にある制御装置との間で行われる回線設定のための制御通信を監視するセッション監視手段を備えており、
セッション監視手段は、監視した綱御通信の内容に基づき端末装置が行う通信に対する帯域制御及び／又は優先度制御ポリシーを決定する、
中継装置。
【請求項２】
セッション監視手段が決定した帯域制御ポリシーに基づき端末装置からの信号の帯域を制御する帯域制御手段と、
セッション監視手段が決定した優先制御ポリシーに基づき端末装置からの信号を多重化する多重化手段と、
をさらに備えている、請求項１に記載の中継装置。
【請求項３】
セッション監視手段は、前記制御通信の代理サーバとして機能する、
請求項１又は２に記載の中継装置。
【請求項４】
セッション監視手段は、制御装置が端末装置に送信した制御通信のみを監視する、
請求項１から３のいずれか１項に記載の中継装置。
【発明の詳細な説明】
【技術分野】
【０００１】
本発明は、１つ以上のアクセス回線を収容する中継装置に関する。
【背景技術】
【０００２】
例えば、図２に示す構成において、中継装置１００は、複数のアクセス回線４０１、４０２及び４０３を収容し、これらアクセス回線に接続されている端末装置２０１、２０２及び２０３からの信号を多重してネットワーク５００に向けて中継する機能を提供している。
【０００３】
従来、この様な中継装置１００には、帯域制御及び/又は優先制御のポリシーがあらかじめ設定されている。ここで、ポリシーとは、帯域制御や優先制御の処理ルールである。つまり、中継装置１００は、このあらかじめ設定されているポリシーに基づき、例えば、複数のアクセス回線から同時に受信したパケットについて、優先して送信を行うパケットを決定し、大量のパケットを受信して輻輳が発生した場合に、廃棄するパケットを決定している。
【０００４】
例えば、全アクセス回線に対してそれぞれ所定の帯域を与え、この帯域のみを補償することは帯域制御のポリシーであり、帯域を全く補償しないことも帯域制御のポリシーである。また、電話、画像通信、インターネットのＷｅｂサーバヘのアクセスといった通信種別に優先度をあらかじめ付与しておき、優先度の高いパケットを優先的に処理することは、優先制御のポリシーである。
【０００５】
なお、近年、提案されているＮＧＮ（Ｎｅｘｔ  Ｇｅｎｅｒａｔｉｏｎ  Ｎｅｔｗｏｒｋ）において、端末装置は、回線要求時に帯域や優先度等を、例えば、回線の設定に関わるＳＩＰサーバ等の制御装置に通知する方式が採用されている（例えば、非特許文献１、参照。）。
【０００６】
【非特許文献１】ＩＴＵ−Ｔ  Ｙ．２０１２、“Ｆｕｎｃｔｉｏｎａｌ  ｒｅｑｕｉｒｅｍｅｎｔｓ  ａｎｄ  ａｒｃｈｉｔｅｃｔｕｒｅ  ｏｆ  ｔｈｅ  ＮＧＮ  ｏｆ  Ｒｅｌｅａｓｅ  １”、ｐｐ．９〜ｐｐ．１５、２００６年９月
【発明の開示】
【発明が解決しようとする課題】
【０００７】
例えば、中継装置１００に対して通信種別“電話”を優先するとの優先制御ポリシーが設定されている場合、たとえある端来装置が、画像通信のための回線を、高優先度で設定することを希望しても、電話に使用する回線が多数設定されている場合、電話のためのパケットが優先して処理されてしまい、画像通信に大きな遅延が発生することになる。また、中継装置１００に対して各端末装置の帯域があらかじめ帯域制御ポリシーとして設定されている場合において、ある端末装置が画像通信のための回線を設定したとする。この場合、他の総ての端末装置が行っている通信が、Ｗｅｂサーバヘのアクセス等、帯域を保障する必要がないものであっても、これら端末装置に対して所定の帯域が確保されるため、この画像通信のうち、画像通信を行っている端末装置に割り当てられた帯域を超えたパケットについては廃棄される可能性が生じる。
【０００８】
したがって、本発明は、上記間題を解決する中継装置を提供することを目的とする。
【課題を解決するための手段】
【０００９】
本発明における中継装置によれば、
１つ以上の端末装置とネットワークとの間の信号の中継を行う中継装置であって、端末装置とネットワーク上にある制御装置との間で行われる回線設定のための制御通信を監視するセッション監視手段を備えており、セッション監視手段は、監視した制御通信の内容に基づき端末装置が行う通信に対する帯域制御及び／又は優先度制御ポリシーを決定することを特徴とする。
【００１０】
本発明の中継装置における他の実施形態によれば、
セッション監視手段が決定した帯域制御ポリシーに基づき端末装置からの信号の帯域を制御する帯域制御手段と、セッション監視手段が決定した優先制御ポリシーに基づき端末装置からの信号を多重化する多重化手段とをさらに備えていることも好ましい。
【００１１】
また、本発明の中継装置における他の実施形態によれば、
セッション監視手段は、制御通信の代理サーバとして機能することも好ましく、さらに、制御装置が端末装置に送信した制御通信を監視することも好ましい。
【発明の効果】
【００１２】
本発明による中継装置は、端末装置が回線設定のために行う制御通信を読み取って、これにより、この回線のための帯域制御及び優先制御ポリシーを決定して帯域制御及び優先制御を行う。この構成により、端末装置の行う通信に沿った品質保証を提供することができる。また、帯域を保障する必要がないと考えられる通信を行っている端末装置や、優先して送信する必要がないと考えられる通信を行っている端末装置に対して、不必要に帯域確保や高優先処理を行うことを防ぐことができる。
【発明を実施するための最良の形態】
【００１３】
本発明を実施するための最良の実施形態について、以下では図面を用いて詳細に説明する。図２は、本発明の中継装置が適用される通信システムの構成図である。図２によると、通信システムは、本発明による中継装置１００と、複数の端末装置２０１〜２０３と、回線設定のための制御装置であるＳＩＰサーバ３００とを含んでおり、中継装置１００は、複数のアクセス回線４０１、４０２及び４０３経由で、それぞれ、端末装置２０１、２０２及び２０３と通信可能となっている。なお、端末装置は１つであっても良い。また、中継装置１００及びＳＩＰサーバ３００は、ネットワーク５００に接続している。
【００１４】
図２に示す通信システムにおいて、端末装置２０１〜２０３が、例えば、図示しない他の端末装置とネットワーク５００を介して通信する場合、端末装置２０１〜２０３は、まず、中継装置１００経由で、ネットワーク上に存在するＳＩＰサーバ３００と回線設定のための制御通信を行い、制御通信の完了により回線設定が行われた後、端末装置２０１〜２０３は、図示しない端末装置との通信を開始する。
【００１５】
図１は、本発明による中継装置１００のブロック図である。図１によると、中継装置１００は、送受信部１１、１２、１３、６０と、帯域制御部２１、２２、２３と、多重化部３０と、スイッチング部４０と、セッション監視部５０とを備えている。送受信部１１、１２、１３は、それぞれ、アクセス回線４０１、４０２、４０３と接続し、アクセス回線４０１、４０２、４０３経由で、それぞれ、端末装置２０１、２０２、２０３と信号の送受信を行う機能を有している。また、帯域制御部２１、２２、２３は、それぞれ、送受信部１１、１２、１３に対応して、つまり、アクセス回線に対応して設けられ、後述する様に、セッション監視部５０により設定される帯域制御ポリシーに基づき、対応するアクセス回線からの信号に対する帯域制御を行う。なお、送受信部６０は、ネットワーク５００と信号の送受信を行う機能を有している。
【００１６】
多重化部３０は、複数のアクセス回線からの信号を多重してネットワーク５００側に出力し、逆に、ネットワーク５００側から受信する信号を、その宛先に対応するアクセス回線に向けて分離する機能を有する。また、多重化部３０は、後述する様に、セッション監視部５０により設定される優先制御ポリシーに基づき各アクセス回線からの信号に対する優先制御を行う。
【００１７】
セッション監視部５０は、各端末装置が回線設定の際に行うＳＩＰサーバ３００との制御通信を監視し、この制御通信の内容から、設定される回線のための帯域制御及び優先制御ポリシーを決定し、決定した帯域制御ポリシーを各帯域制御部に、決定した優先制御ポリシーを多重化部３０に通知する。
【００１８】
具体的には、回線設定のための制御通信に含まれる帯域、優先度及び回線を特定する情報を読み取り、帯域を特定する情報に基づき帯域制御ポリシーを、優先度を特定する情報に基づき優先制御ポリシーを決定し、回線を特定する情報に基づき決定した帯域制御及び優先制御ポリシーに対応する回線を決定する。ここで、帯域及び優先度については、例えば、ＳＩＰにおけるｂパラメータ、Ｐｒｉｏｒｉｔｙパラメータを読み取ることで取得することができる。また、回線を特定する情報は、ＳＩＰにおけるＦｒｏｍパラメータを使用することができるが、その他、ＴＣＰ／ＵＤＰのポート番号、ＩＰアドレス、ＭＡＣアドレス等、ＳＩＰパケット及びＳＩＰパケットを収容している下位レイヤのパケットヘッダに含まれる、個々の通信を特定するための値や、これらの組合せを利用することも可能である。
【００１９】
図３及び図４は、セッション監視部５０の機能ブロック図である。図３によると、セッション監視部５０は、監視部１と、制御情報処理部２とを備えている。監視部１は、端末装置とＳＩＰサーバ３００との制御通信に関するパケットを監視し、これらパケットのコピーを制御情報処理部２に出力し、制御情報処理部２は、入力する制御通信に係わるパケットのコピーから、帯域、優先度及び回線を特定する情報を抽出して、帯域制御部２１から２３に設定する帯域制御ポリシーと、多重化部３０に設定する優先制御ポリシーを決定する。また、図４によると、セッション監視部５０は、プロキシ部３と、制御情報処理部２とを備えている。プロキシ部３は、端末装置２０１、２０２、２０３と、ＳＩＰサーバ３００との制御通信の代理（プロキシ）サーバとして動作し、制御通信の代理通信において、制御通信に係わるパケットのコピーを制御情報処理部２に出力する。なお、制御情報処理部２における処理は、図３の構成と同じである。
【００２０】
以上、本発明による中継装置１００は、端末装置が、ＳＩＰサーバ３００といった回線設定制御のための制御装置と行う制御通信を読み取り、この制御通信に含まれている帯域及び優先度を示す情報に基づき、この回線のための帯域制御及び優先制御ポリシーを決定し、これによりこの回線の帯域制御及び優先制御を行う。この構成により、端来装置の行う通信に沿った品質保証を提供し、帯域を保障する必要がないと考えられる通信や優先して送信する必要がないと考えられる通信を行っている端末装置に対して、不必要に帯域確保や高優先処理を行うことも防ぐことができる。なお、最終的にＳＩＰサーバ３００が決定し、端末装置に通知した帯域及び優先度を示す情報に基づき帯域制御及び優先制御ポリシーを決定すればよく、例えば、ＳＩＰサーバ３００が端末装置に送信した制御通信のみを監視する構成であっても良い。
【図面の簡単な説明】
【００２１】
【図１】本発明による中継装置のブロック図である。
【図２】本発明による中継装置が使用される通信システムの構成図である。
【図３】セッション監視部のブロック図である。
【図４】セッション監視部の他の実施形態によるブロック図である。
【符号の説明】
【００２２】
１  監視部
２  制御情報処理部
３  プロキシ部
１１、１２、１３、６０  送受信部
２１、２２、２３  帯域制御部
３０  多重化部
４０  スイッチング部
５０  セッション監視部
１００  中継装置
２０１、２０２、２０３  端末装置
３００  ＳＩＰサーバ
４０１、４０２、４０３  アクセス回線
５００  ネットワーク
【図１】
2010050871.tif 000003
【図２】
2010050871.tif 000004
【図３】
2010050871.tif 000005
【図４】
2010050871.tif 000006